(57)【要約】【課題】画像データを他の端末に転送する際に、端末間の認証の手続きと画像データの転送動作の手続きの操作性を向上させる。【解決手段】送信端末は、画像データの送信指示を入力する操作子認識手段と、操作者の認証情報を取得する認証情報取得手段とを備え、受信端末は、画像データの受信指示を入力する操作子認識手段と、操作者の認証情報を取得する認証情報取得手段とを備え、送信端末は、送信指示の入力と略同時に操作者の認証情報を取得して一定期間有効な送信準備状態に移行し、受信端末、受信指示の入力と略同時に操作者の認証情報を取得して送信端末に転送要求を送信し、送信準備状態の期間において、送信端末が取得した情報と受信端末が受信した情報とが一致したと判断した場合に、送信端末から受信端末への画像データの転送を許可する。【選択図】図３
2015121988.tif 000002
【特許請求の範囲】
【請求項１】
受信端末からの取得要求に応答して、画像データを送信する送信端末と、送信端末から画像データを受信する受信端末とから構成される画像データ転送システムであって、
前記送信端末は、送信候補の画像データのビットマップイメージを表示する表示手段と、
送信する画像データの選択、および画像データの送信指示を入力するための操作子を認識する操作子認識手段と、
前記操作子を操作する操作者の認証情報を取得する認証情報取得手段とを備え、
前記受信端末は、画像データの受信指示を入力するための操作子を認識する操作子認識手段と、
前記操作子を操作する操作者の認証情報を取得する認証情報取得手段とを備え、
前記送信端末は、送信指示の入力とともに操作者の認証情報を取得して一定期間有効な送信準備状態に移行し、
前記受信端末は、受信指示の入力とともに操作者の認証情報を取得して送信端末に転送要求を送信し、
前記送信準備状態の期間内において、
前記送信端末が取得した認証情報と、前記受信端末が受信した認証情報とが一致したか否かの判断を行い、
認証情報が一致したと判断した場合に、選択された画像データの送信端末から受信端末への転送を許可し、
前記送信準備状態の期間外において、選択された画像データの送信端末から受信端末への転送を許可しないことを特徴とする画像データ転送システム。
【請求項２】
前記送信端末は、操作者の認証情報を取得したことを操作者に識別可能に表示することを特徴とする請求項１に記載の画像データ転送システム。
【請求項３】
前記送信端末は、認証情報が一致したことを操作者に識別可能に表示することを特徴とする請求項１または２に記載の画像データ転送システム。
【請求項４】
前記受信端末は、認証情報が一致したことを操作者に識別可能に表示することを特徴とする請求項１に記載の画像データ転送システム。
【請求項５】
前記送信端末の送信準備状態で、複数の受信端末から取得要求を受信した場合、
最初に認証情報が一致したと判断した受信端末にのみ、選択された画像データの転送を許可することを特徴とする請求項１〜４の何れか１項に記載の画像データ転送システム。
【請求項６】
前記送信端末は無線あるいは有線による通信手段を備え、
送信指示の入力と同時に前記通信手段を起動させることを特徴とする請求項１〜５の何れか１項に記載の画像データ転送システム。
【請求項７】
前記受信端末は無線あるいは有線による通信手段を備え、
受信指示の入力と同時に前記通信手段を起動させることを特徴とする請求項１〜５の何れか１項に記載の画像データ転送システム。
【請求項８】
前記操作子は操作者の指であり、
前記送信端末および前記受信端末の認証情報取得手段は、操作者の認証情報として操作子の形状に関する情報、大きさに関する情報、指紋情報の少なくともひとつを取得することを特徴とする請求項１〜７の何れか１項に記載の画像データ転送システム。
【請求項９】
前記送信端末および前記受信端末の認証情報取得手段は、操作者の認証情報として操作者の顔画像データを取得することを特徴とする請求項１〜８の何れか１項に記載の画像データ転送システム。
【請求項１０】
受信端末からの取得要求に応答して、画像データを送信する送信端末と、送信端末から画像データを受信する受信端末とから構成される画像データ転送システムの制御方法であって、
前記送信端末として動作する場合は、送信指示の入力とともに操作者の認証情報を取得して一定期間有効な送信準備状態に移行する工程と、
前記送信準備状態の期間内において、
前記送信端末が取得した認証情報と、前記受信端末が受信した認証情報とが一致したか否かの判断を行う工程と、
認証情報が一致したと判断した場合に、選択された画像データの送信端末から受信端末への転送を許可する工程と、
前記送信準備状態の期間外において、選択された画像データの送信端末から受信端末への転送を許可しない工程とを備え、
前記受信端末として動作する場合は、受信指示の入力とともに操作者の認証情報を取得して送信端末に転送要求を送信する工程を備えることを特徴とする画像データ転送システムの制御方法。
【請求項１１】
受信端末からの取得要求に応答して、画像データを送信する送信端末と、送信端末から画像データを受信する受信端末とから構成される画像データ転送システムの制御方法をコンピュータに実行させるプログラムであって、
前記送信端末として動作する場合は、送信指示の入力とともに操作者の認証情報を取得して一定期間有効な送信準備状態に移行する工程と、
前記送信準備状態の期間内において、
前記送信端末が取得した認証情報と、前記受信端末が受信した認証情報とが一致したか否かの判断を行う工程と、
認証情報が一致したと判断した場合に、選択された画像データの送信端末から受信端末への転送を許可する工程と、
前記送信準備状態の期間外において、選択された画像データの送信端末から受信端末への転送を許可しない工程とをコンピュータに実行させ、
前記受信端末として動作する場合は、受信指示の入力とともに操作者の認証情報を取得して送信端末に転送要求を送信する工程をコンピュータに実行させることを特徴とするプログラム。
【請求項１２】
請求項１１に記載のプログラムを記憶したことを特徴とするコンピュータ読み取り可能な記憶媒体。
【発明の詳細な説明】
【技術分野】
【０００１】
本発明は画像データ転送システム及び画像データ転送システムの制御方法に関し、特に、操作者の認証情報を取得して、認証情報が一致した場合にのみ画像データの転送を許可するために用いて好適な技術に関するものである。
【背景技術】
【０００２】
近年、デジタル技術の発展等に伴い、撮影した画像情報を電子的に処理するデジタルカメラが普及してきている。更に最近は、画像を撮影できる機能を有する携帯電話やビデオカメラ等も増えている。このような機器の普及に伴い、撮影された画像を、有線あるいは無線の通信手段を介して接続されたコンピュータや他のデバイスに送信することが行われている。
【０００３】
例えば特許文献１には、撮影した画像を、通信手段を介して指定された送信先へ自動的に送信する通信装置が記載されている。
また特許文献２には、他のデバイスから、当該他のデバイスに関する送信先情報を含む画像ファイルの配信要求を受信したときに、画像ファイルの他のデバイスへの送信の可否を判定する画像送信装置が記載されている。この画像送信装置は、配信可否判断プログラムで、送信先情報に含まれる機器のＩＤなどの情報に基づいて、画像ファイルの他のデバイスへの送信の可否を判定し、判定結果に応じて画像ファイルを送信するようにしている。
【０００４】
さらに特許文献３には、複数の電極結合を行って信号検出を行うことで、操作者の指が表示部に非接触の状態で指の位置を検出することを可能にしたタッチパネルが記載されている。
【先行技術文献】
【特許文献】
【０００５】
【特許文献１】特開２０００−１７５０９２号公報
【特許文献２】特開２００５−１７６１０６号公報
【特許文献３】特開２００９−２５８９０３号公報
【発明の概要】
【発明が解決しようとする課題】
【０００６】
しかしながら、前述のような従来例の多くは、デジタルカメラからコンピュータなどに画像のバックアップやアップロードをすることを目的としている。そのため、特許文献１に記載された通信装置では、あらかじめ設定された送信先にすべての画像ファイルを一括して送信することは容易に行える。しかし、送信先を頻繁に変更して画像ファイルを送信するような場合には、送信元のデジタルカメラで送信先を設定する作業をその都度行う必要があり、処理が繁雑となりユーザの負担が増えてしまう問題点があった。
【０００７】
一方、特許文献２に記載された画像送信装置では、記録媒体などに格納された画像ファイルを簡単な操作で他のデバイスに選択的に送信することが可能である。しかし、配信要求を受け付けるデバイスの認証に関する情報は、予めデジタルカメラの操作部材を使って入力されていたり、デジタルカメラと接続されたホストコンピュータによって入力されていたりする必要があり、ユーザの負担が増えてしまう問題点があった。
本発明は前述の問題点に鑑み、画像データを他の端末に転送する際に、端末間の認証の手続きと画像データの転送動作の手続きの操作性を向上させることを目的とする。
【課題を解決するための手段】
【０００８】
本発明の画像データ転送システムは、受信端末からの取得要求に応答して、画像データを送信する送信端末と、送信端末から画像データを受信する受信端末とから構成される画像データ転送システムであって、前記送信端末は、送信候補の画像データのビットマップイメージを表示する表示手段と、送信する画像データの選択、および画像データの送信指示を入力するための操作子を認識する操作子認識手段と、前記操作子を操作する操作者の認証情報を取得する認証情報取得手段とを備え、前記受信端末は、画像データの受信指示を入力するための操作子を認識する操作子認識手段と、前記操作子を操作する操作者の認証情報を取得する認証情報取得手段とを備え、前記送信端末は、送信指示の入力とともに操作者の認証情報を取得して一定期間有効な送信準備状態に移行し、前記受信端末は、受信指示の入力とともに操作者の認証情報を取得して送信端末に転送要求を送信し、前記送信準備状態の期間内において、前記送信端末が取得した認証情報と、前記受信端末が受信した認証情報とが一致したか否かの判断を行い、認証情報が一致したと判断した場合に、選択された画像データの送信端末から受信端末への転送を許可し、前記送信準備状態の期間外において、選択された画像データの送信端末から受信端末への転送を許可しないことを特徴とする。
【発明の効果】
【０００９】
本発明によれば、送信端末は、送信指示の入力と略同時に操作者の認証情報を取得して一定期間有効な送信準備状態に移行し、受信端末は、受信指示の入力と略同時に操作者の認証情報を取得する。送信端末と受信端末の認証情報が一致したと判断した場合に、選択された画像データの送信端末から受信端末への転送を許可するので、簡単な操作で端末間の認証をとることができて画像データの転送の操作性を向上させることができる。
【図面の簡単な説明】
【００１０】
【図１】本発明の実施形態を示し、デジタルカメラの外観を示した図である。
【図２】実施形態のデジタルカメラの構成例を示したブロック図である。
【図３】送信側のデジタルカメラの送信動作と認証動作の流れを説明するフローチャートである。
【図４】受信側のデジタルカメラの受信動作と認証動作の流れを説明するフローチャートである。
【図５】実施形態のデジタルカメラで画像データを転送する際の操作方法について説明する図である。
【図６】画像データを一方のデジタルカメラから他方のデジタルカメラに転送するときの画面内容について説明する図である。
【図７】実施形態のデジタルカメラで認識するジェスチャを説明する図である。
【発明を実施するための形態】
【００１１】
(第１の実施形態)
以下、図面を参照して本発明の画像データ転送システムの好適な実施形態を説明する。
図１に、本実施形態の画像データ転送システムで送信端末、及び受信端末として使用するデジタルカメラ１の外観図を示す。表示部２は画像や各種情報を表示する表示部である。シャッターボタン３は撮影指示を行うための操作部である。電源スイッチ４は、撮影モードでの電源オン、再生モードでの電源オン、電源オフを切り替える。操作入力用撮像部５は、デジタルカメラ１を操作する操作子である指の動作を撮影するための撮像部であり、表示部２の周囲に配置されている。記録媒体７はメモリカードやハードディスク等の記録媒体であり、デジタルカメラ１の本体から着脱可能な構成である。
【００１２】
図２は、本実施形態によるデジタルカメラ１の構成例を示すブロック図である。
図２において、９はフォーカスレンズを含む撮影レンズ、１０は絞り機能を備えるシャッター、１１は光学像を電気信号に変換するＣＣＤやＣＭＯＳ素子等で構成される撮像部である。
【００１３】
１２はＡ／Ｄ変換器であり、アナログ信号をデジタル信号に変換する。Ａ／Ｄ変換器１２は、撮像部１１から出力されるアナログ信号をデジタル信号に変換するために用いられる。８はバリアであり、デジタルカメラ１の、撮影レンズ９を含む撮像部を覆うことにより、撮影レンズ９、シャッター１０、撮像部１１を含む撮像系の汚れや破損を防止する。
【００１４】
１３は画像処理部であり、Ａ／Ｄ変換器１２からのデータ、または、メモリ制御部１５からのデータに対し所定の画素補間、縮小といったリサイズ処理や色変換処理を行う。また、画像処理部１３では、撮像した画像データを用いて所定の演算処理が行われ、得られた演算結果に基づいてシステム制御部２１が露光制御、測距制御を行う。
【００１５】
これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部１３では更に、撮像した画像データを用いて所定の演算処理を行い、得られた演算結果に基づいてＴＴＬ方式のＡＷＢ（オートホワイトバランス）処理も行っている。
【００１６】
Ａ／Ｄ変換器１２からの出力データは、画像処理部１３及びメモリ制御部１５を介して、或いは、メモリ制御部１５を介してメモリ１９に直接書き込まれる。メモリ１９は、撮像部１１によって得られＡ／Ｄ変換器１２によりデジタルデータに変換された画像データや、表示部２に表示するための画像データを格納する。メモリ１９は、所定枚数の静止画像や所定時間の動画像および音声を格納するのに十分な記憶容量を備えている。
【００１７】
また、メモリ１９は画像表示用のメモリ（ビデオメモリ）を兼ねている。１８はＤ／Ａ変換器であり、メモリ１９に格納されている画像表示用のデータをアナログ信号に変換して表示部２に供給する。こうして、メモリ１９に書き込まれた表示用の画像データはＤ／Ａ変換器１８を介して表示部２により表示される。表示部２は、ＬＣＤ等の表示器上に、Ｄ／Ａ変換器１８からのアナログ信号に応じた表示を行う。
【００１８】
不揮発性メモリ２６は、電気的に消去・記録可能なメモリであり、例えばＥＥＰＲＯＭ等が用いられる。不揮発性メモリ２６には、システム制御部２１の動作用の定数、プログラム等が記憶される。ここでいう、プログラムとは、本実施形態において後述する各種フローチャートを実行するためのプログラムのことである。
【００１９】
システム制御部２１は、デジタルカメラ１全体を制御する。前述した不揮発性メモリ２６に記録されたプログラムを実行することで、後述する本実施形態の各処理を実現する。２７はシステムメモリであり、ＲＡＭが用いられる。システムメモリ２７には、システム制御部２１の動作用の定数、変数、不揮発性メモリ２６から読み出したプログラム等を展開する。また、システム制御部２１はメモリ１９、Ｄ／Ａ変換器１８、表示部２等を制御することにより表示制御も行う。
【００２０】
シャッターボタン３は、第１シャッタースイッチ、第２シャッタースイッチを備えており、システム制御部２１に各種の動作指示を入力するための操作手段として用いられる。
第１シャッタースイッチは、デジタルカメラ１に設けられたシャッターボタン３の操作途中、いわゆる半押し（撮影準備指示）でＯＮとなり第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００２１】
第２シャッタースイッチは、シャッターボタン３の操作完了、いわゆる全押し（撮影指示）でＯＮとなり、第２シャッタースイッチ信号ＳＷ２を発生する。システム制御部２１は、第２シャッタースイッチ信号ＳＷ２により、撮像部１１からの信号読み出しから記録媒体７に画像データを書き込むまでの一連の撮影処理の動作を開始する。
【００２２】
２４は電源制御部であり、電池検出回路、ＤＣ−ＤＣコンバータ、通電するブロックを切り替えるスイッチ回路等により構成され、電池の装着の有無、電池の種類、電池残量の検出を行う。また、電源制御部２４は、その検出結果及びシステム制御部２１の指示に基づいてＤＣ−ＤＣコンバータを制御し、必要な電圧を必要な期間、記録媒体７を含む各部へ供給する。
【００２３】
２５は電源部であり、アルカリ電池やリチウム電池等の一次電池やＮｉＣｄ電池やＮｉＭＨ電池、Ｌｉ電池等の二次電池、ＡＣアダプター等からなる。２０はメモリカードやハードディスク等の記録媒体７とのインターフェースである。記録媒体７は、メモリカード等の記録媒体であり、半導体メモリや磁気ディスク等から構成される。
【００２４】
その他の操作部として、表示部２に対する接触を検知可能なタッチパネル２３を有する。タッチパネル２３は表示部２と一体化して形成されている。タッチパネル制御部２２はタッチパネル２３への以下の操作を検出できる。タッチパネルを指やペンで触れたこと（以下、タッチダウンと称する）。タッチパネルを指やペンで触れている状態であること（以下、タッチオンと称する）。タッチパネルを指やペンで触れたまま移動していること（以下、ムーブと称する）。タッチパネルへ触れていた指やペンを離したこと（以下、タッチアップと称する）。タッチパネルに何も触れていない状態（以下、タッチオフと称する）。
【００２５】
これらの操作や、タッチパネル上に指やペンが触れている位置座標はタッチパネル制御部２２からシステム制御部２１に通知され、システム制御部２１は通知された情報に基づいてタッチパネル上にどのような操作が行なわれたかを判定する。ムーブについては、タッチパネル上で移動する指やペンの移動方向についても、位置座標の変化に基づいて、タッチパネル上の垂直成分・水平成分毎に判定できる。
【００２６】
また、タッチパネル上をタッチダウンから一定のムーブを経てタッチアップをしたとき、ストロークを描いたこととする。素早くストロークを描く操作をフリックと呼ぶ。フリックは、タッチパネル上に指を触れたままある程度の距離だけ素早く動かして、そのまま離すといった操作であり、言い換えればタッチパネル上を指ではじくように素早くなぞる操作である。所定距離以上を、所定速度以上でムーブしたことが検出され、そのままタッチアップが検出されるとフリックが行なわれたと判定できる。また、所定距離以上を、所定速度未満でムーブしたことが検出された場合はドラッグが行なわれたと判定するものとする。
【００２７】
タッチパネル２３はまた、複数の電極結合を行って信号検出を行うことで、操作者の指が表示部２に非接触の状態で近接していることを検出し、さらに近接状態において表示部２の表示画面の領域に対する指の位置を検出することが可能である。
【００２８】
５は操作入力用撮像部であり、操作者の指などの操作子を撮像するためのものである。操作入力用撮像部５で撮像された操作子画像データは、画像処理部１３及びメモリ制御部１５を介して、或いは、メモリ制御部１５を介してメモリ１９に直接書き込まれる。
１７はジェスチャ認識部であり、操作入力用撮像部５により撮像した指の形状の認識する処理を行う。認識された指の形状から操作者のジェスチャを識別する。
【００２９】
図７は、本実施形態のデジタルカメラ１において識別するジェスチャの一例を示したものである。図７（Ａ）は、親指と人さし指を離した形状であり「離すジェスチャ」を意味する。図７（Ｂ）は、親指と人さし指をくっつけた形状であり「つまむジェスチャ」を意味する。
【００３０】
システム制御部２１は、タッチパネル制御部２２から通知される操作者の指の位置に関する情報や指の動作に関する情報、ジェスチャ認識部１７から通知される操作者のジェスチャ動作の情報に基づいてデジタルカメラ１全体を制御している。
【００３１】
表示画像生成部１４は、表示部２に表示する表示データを生成する。
無線通信部６は、無線通信に関する機能を有し、システム制御部２１から受信した信号を受け取り、ＲＦ信号に変調した後で送信する。また、外部から受信したＲＦ信号を復調してシステム制御部２１に出力する。
【００３２】
本実施形態においては、２台のデジタルカメラ１を使って、一方のデジタルカメラの画像データを、他方のデジタルカメラに転送する。このときの操作方法を、図５を使って説明する。
図５は送信端末５１、受信端末５２を示す図である。送信端末５１と受信端末５２は1人のユーザが両方を操作できる程度に近づけて配置されているものとする。送信端末５１、受信端末５２はそれぞれ操作入力用撮像部５を使って操作子画像を撮像して、操作者のジェスチャを識別する。また、送信端末５１、受信端末５２はそれぞれ表示部２と一体化して形成されたタッチパネル２３を使って、近接状態にある指の位置を検出する。
【００３３】
送信端末５１の表示部２の表示画面の領域上で、操作者の指５０１が「離すジェスチャ」から「つまむジェスチャ」を連続して行うと、送信する画像データを選択することができる。これにより、操作者の指５０１の位置に表示されている画像データが送信対象として選択される。操作者の指５０１が「つまむジェスチャ」のまま、送信端末５１の表示部２の表示画面の領域５０３上から、受信端末５２の表示部２の表示画面の領域５０４上に指を移動する。そして、「つまむジェスチャ」から「離すジェスチャ」に変えると、送信端末５１の画像データが受信端末５２に転送される。このときに、操作者の指５０２の位置に表示されているフォルダが、画像データの保存先として選択される。
【００３４】
図６は、２台の本実施形態のデジタルカメラ１を使って、画像データを一方のデジタルカメラから他方に転送するときに、システム制御部２１が表示部２に表示する画面内容を示したものである。
【００３５】
図６において、６１２は操作者の指を示している。図６の（Ａ）、（Ｂ）、（Ｃ）は送信端末６１の画面内容を示したものであり、６０１、６０２、６０３、６０４は画像データから生成した表示用イメージを表示したものである。操作者の指６１２によって、画像データの転送が指示されるのを待っている状態では、送信端末は、例えば画像の再生表示の状態にあるものとする。
【００３６】
送信端末６１の表示部２には、図６（Ａ）に示すように複数の画像データ６０１〜６０４が表示されており、これらの画像データ６０１〜６０４が送信対象として選択可能である。すなわち、画面内容が表示されている状態で、図６（Ｂ）に示すように、表示部２の表示画面において、６０２の表示用イメージが表示されている領域上で、操作者が指６１２を使って「離すジェスチャ」から「つまむジェスチャ」に連続してジェスチャ動作する。すると、送信する画像データとして６０２が選択される。画像データ６０２が選択されると、選択された画像データ６０２の枠を、他の画像データと比べて太く描画することで、選択された画像データが操作者に明示的に識別できるように表示する。
【００３７】
タッチパネル２３は、近接状態にある操作者の指６１２の位置を連続的に検知している。
図６（Ｃ）に示すように、操作者が指６１２を「つまむジェスチャ」のまま送信端末６１の表示部２上を移動すると、送信する画像データの表示用イメージ６０５が操作者の指６１２の位置に連動して移動する。これによって、操作者が指で画像データを持っているような操作感を操作者に対して提供する。
【００３８】
受信端末６２も、操作者によって画像データの転送が指示されるのを待っている状態では、例えば画像の再生表示の状態にあるものとする。受信端末６２の表示部２には、図６（Ａ）に示したのと同様に複数の画像データが表示されている。
【００３９】
図６の（Ｄ）、（Ｅ）、（Ｆ）は、操作者によって画像データの転送が指示された後の受信端末６２の画面内容を示したものであり、６０６、６０７、６０８、６０９は転送先フォルダの候補を表示したものである。操作者の指６１２が「つまむジェスチャ」のまま送信端末６１の表示部２上から、受信端末６２の表示部２上に移動して、受信端末６２が受信可能な状態に移行すると、受信端末６２の表示は、画像の再生表示の状態から、図６（Ｄ）の表示内容に切り替わる。
【００４０】
図６（Ｄ）で、６１０は受信予定の画像データを表示したものである。送信端末６１から受信する画像データの表示用イメージを受信していない状態では、点線の矩形領域で表現する。図６（Ｄ）に示すように、操作者が指を「つまむジェスチャ」のまま受信端末６２の表示部２上を移動すると、受信する画像データの表示６１０が操作者の指６１２の位置に連動して移動する。これによって、操作者が指で画像データを持っているような操作感を操作者に対して提供する。
【００４１】
図６（Ｄ）で、操作者の指６１２の位置に表示されているフォルダ６０７が転送予定のフォルダになる。フォルダ６０７が選択されると、選択されたフォルダの表示イメージの枠を、他のフォルダと比べて太く描画することで、選択されたフォルダが操作者に明示的に識別できるように表示する。
【００４２】
送信端末６１から受信する画像データの表示用イメージを受信すると、図６（Ｅ）に示すように、操作者の指６１２の位置に連動して、受信する画像データの表示用イメージ６１１が表示される。表示用イメージを受信した状態においても、操作者が指を「つまむジェスチャ」のまま受信端末の表示部２上を移動すると、受信する画像データの表示用イメージ６１１が操作者の指６１２の位置に連動して移動する。
【００４３】
図６（Ｆ）に示すように、操作者が指６１２を「つまむジェスチャ」から「離すジェスチャ」に変えると、その時点で選択しているフォルダを転送先のフォルダとして決定する。同時に、画像データの受信動作を行う。画像データの受信中はダイアログボックス６１４を表示して、画像データを受信中であることを識別可能に表示する。
【００４４】
画像データの受信動作が完了するまでの間は、受信端末のタッチパネル２３を使っての操作を無効にするなどして、操作者による受信端末６２の操作を制限してもよい。これによって、画像データの受信動作中の誤操作を抑制することができる。また、操作者が「つまむジェスチャ」のまま送信端末６１の表示部２上から、受信端末６２の表示部２上に指６１２を移動した後は、送信端末６１のタッチパネル２３を使っての操作を無効にするなどして、送信端末６１の操作を制限してもよい。
【００４５】
図６（Ｆ）に示すように、操作者が受信端末６２の表示部２上で、指６１２を「つまむジェスチャ」から「離すジェスチャ」に変えると、操作者による送信端末６１の操作を制限してもよい。これによって、画像データの転送先の端末が決定するまでの間の誤操作を抑制することができる。
【００４６】
図３のフローチャートを参照しながら、本実施形態のデジタルカメラ１が送信端末として動作する場合の、送信動作と認証動作の流れについて示す。このフローチャートに示す処理は、システム制御部２１により、システムメモリ２７に読み出されたプログラムに基づいて実行される。
【００４７】
操作者が電源スイッチ４を再生モードでの電源オンに切り替えることで、図３のフローチャートをスタートさせる。このとき、システム制御部２１は、記録媒体７に保存されている画像データを読み出して、メモリ１９に展開する。そして、図６（Ａ）に示すように、画像データから生成した表示用イメージを、送信候補の画像データのビットマップイメージとして表示部２に表示する表示処理を行う。
【００４８】
Ｓ３０１でシステム制御部２１は、操作入力用撮像部５を起動制御して、操作子画像の入力を開始する。
Ｓ３０２でシステム制御部２１は、操作者の操作子を検出したか否かを判断する。操作子を検出したと判断した場合、Ｓ３０３に進み、検出していない場合はＳ３０２の判断のステップに戻る。
Ｓ３０３では、ジェスチャ認識部１７で指の形状の認識する操作子認識処理を行う。認識された指の形状から操作者のジェスチャを識別する。
【００４９】
Ｓ３０４でシステム制御部２１は、ジェスチャ認識部１７の出力結果から、操作者が「離すジェスチャ」から「つまむジェスチャ」に連続してジェスチャ動作をしたか否かを判断する。操作者が「離すジェスチャ」の状態から図６（Ｂ）に示すように「つまむジェスチャ」に連続してジェスチャ動作すると、システム制御部２１はＳ３０５に進み、そうでない場合はＳ３０２の判断のステップに戻る。
【００５０】
Ｓ３０５でシステム制御部２１は、操作者の認証情報を取得する認証情報取得処理を行う。認証情報の取得は、操作入力用撮像部５で撮像された操作子画像データを分析して得られる、操作子である指の大きさや指の形状の特徴に係るデータに基づいて得られたり、複数の指同士の位置関係のデータであったり、指紋情報である。たとえば、爪の形状や指の色も認証情報として使用しても構わない。
【００５１】
次に、Ｓ３０６で、システム制御部２１は、Ｓ３０４でジェスチャ動作したと判断した時点での、操作者の指（親指と人さし指）の位置の情報をもとに、送信する画像データを選択する。図６（Ｂ）に示すように、表示画面の６０２の表示用イメージが表示されている領域上に操作者の指６１２があると判断した場合、送信する画像データとして６０２が選択される。
【００５２】
次に、Ｓ３０７で、システム制御部２１は、無線通信部６を起動制御し、Ｓ３０８で送信準備状態を開始する（ｔ＝０）。送信準備状態では、経過時間を計測して一定期間内に受信端末との認証情報のマッチングがとれない場合、画像データの送信動作を停止する。
【００５３】
システム制御部２１は、送信準備状態では、無線通信部６を制御して、画像データ送信準備状態であることの通知をＢｅａｃｏｎなどの信号に乗せて周囲の端末に対して送信する。
送信端末６１が送信準備状態にいる間は、操作者が指を「つまむジェスチャ」のまま送信端末６１の表示部２上を移動すると、図６（Ｃ）に示すように、送信する画像データの表示用イメージ６０５が操作者の指６１２の位置に連動して移動する。
【００５４】
操作者が「つまむジェスチャ」のまま送信端末６１の表示部２上の領域から外れると、送信端末６１のタッチパネル２３を使っての操作を無効にするなどして、送信端末６１の操作を制限してもよい。
【００５５】
Ｓ３０９でシステム制御部２１は、送信準備状態に移行してからの経過時間が一定期間に達したか否かを判断し、一定期間に達するか、超えて期間外になった場合はＳ３１８に進み、達していない場合はＳ３１０に進む。
Ｓ３１０では、システム制御部２１は受信端末６２からの認証情報を受信したか否かを確認する。受信した場合はＳ３１１に進み、そうでない場合はＳ３０９の判断のステップに戻る。
【００５６】
Ｓ３１１でシステム制御部２１は、Ｓ３０５で取得した送信端末６１の操作者の認証情報と、受信端末６２からの認証情報のマッチング（これらの情報をつき合わせて照合する処理）を行う。送信端末６１で送信動作を指示した操作者と、受信端末６２で受信動作を指示した操作者が同一の場合、認証情報が一致することで、画像データの転送動作が許可されて実行される。送信端末６１で送信動作を指示した操作者と、受信端末６２で受信動作を指示した操作者が同一でない場合や、他の端末からの認証情報を一定期間内に受信しなかった場合は、画像データの転送動作は実行しない。
【００５７】
Ｓ３１２で認証情報が一致したと判断した場合Ｓ３１３に進み、一致しなかった場合Ｓ３０９に戻り新たな認証情報の受信を待つ。
Ｓ３１３でシステム制御部２１は、認証情報が一致したことを受信端末６２に送信する。
本実施形態の送信端末は、送信準備状態で、複数の受信端末から取得要求を受信した場合、最初に認証情報が一致したと判断した受信端末にのみ応答し、選択された画像データの転送を許可する
次にＳ３１４で、システム制御部２１は送信準備状態を解除する。これ以降は、Ｓ３１２で認証情報が一致した受信端末以外から認証情報が送られてきても、認証情報のマッチングは行わない。
【００５８】
次に、Ｓ３１５でシステム制御部２１は、選択した画像データの表示用イメージを受信端末６２に送信する。表示用イメージは、画像データ本体に縮小処理を施した画像データや、サムネール画像を用いる。表示用イメージは、画像データ本体と比べて小さい画像サイズで構成されるため、画像データ本体の送信時間と比べて容認できる程度に短い時間で送信できるものとする。
【００５９】
次に、Ｓ３１６でシステム制御部２１は、受信端末６２からの画像データ転送要求を受信したか否かを判断する。画像データ転送要求を受信するまでＳ３１６の処理を繰り返す。システム制御部２１は、画像データ転送要求を受信すると、Ｓ３１７に進み、受信端末６２に画像データを送信する。
【００６０】
送信端末６１の操作を制限していた場合、システム制御部２１は、画像データ転送要求を受信したタイミングで送信端末６１の操作の制限を解除してもよい。これによって、操作者は次の画像データ転送を指示可能になる。
画像データの送信が完了すると、Ｓ３１８でシステム制御部２１は無線通信部６を停止して終了する。
【００６１】
次に、図４のフローチャートを参照しながら、本実施形態のデジタルカメラ１が受信端末として動作する場合の、受信動作と認証動作の流れについて示す。このフローチャートに示す処理は、システム制御部２１により、システムメモリ２７に読み出されたプログラムに基づいて実行される。操作者が電源スイッチ４を再生モードでの電源オンに切り替えることで、図４のフローチャートをスタートさせる。
【００６２】
このとき、システム制御部２１は、記録媒体７に保存されている画像データを読み出して、メモリ１９に展開し、図６（Ａ）と同様に、画像データから生成した表示用イメージを表示部２に表示している。
Ｓ４０１からＳ４０３までは、図３のフローチャートのＳ３０１からＳ３０３と同様である。
【００６３】
Ｓ４０１でシステム制御部２１は、操作入力用撮像部５を起動制御して、操作子画像の入力を開始する。
Ｓ４０２でシステム制御部２１は、操作者の操作子を検出したか否かを判断する。操作子を検出したと判断した場合、Ｓ４０３に進み、検出していない場合はＳ４０２の判断のステップに戻る。
Ｓ４０３でシステム制御部２１は、ジェスチャ認識部１７で指の形状の認識する操作子認識処理を行う。認識された指の形状から操作者のジェスチャを識別する。
【００６４】
Ｓ４０４でシステム制御部２１は、ジェスチャ認識部１７の出力結果から、操作者が「つまむジェスチャ」のジェスチャ動作をしたか否かを判断する。「つまむジェスチャ」のジェスチャ動作をしたと判断した場合、Ｓ４０５に進み、していないと判断した場合、Ｓ４０２の判断のステップに戻る。
【００６５】
Ｓ４０５でシステム制御部２１は、操作者の認証情報を取得する認証情報取得処理を行う。認証情報の取得は、送信端末６１の場合と同様に、操作入力用撮像部５で撮像された操作子画像データを分析して得られる。
次に、システム制御部２１は、Ｓ４０６で無線通信部６を起動制御し、Ｓ４０７で送信準備状態である送信端末が周囲にないかを探索する。送信端末がＢｅａｃｏｎなどの信号で発信している場合は、システム制御部２１はその信号を探索することで接続する端末を判断する。
【００６６】
送信端末が見つかると、Ｓ４０８でシステム制御部２１は、Ｓ４０５で取得した認証情報を送信端末に送信して、Ｓ４０９で送信端末から認証情報が一致したことの通知を待つ。認証情報が一致しなかった場合、認証情報が適切に取得できなかったり、意図した送信端末に認証情報を送信しなかったりすることが原因として考えられるため、Ｓ４０６の認証情報の取得に戻る。
【００６７】
Ｓ４０９で認証情報が一致した場合Ｓ４１０に進む。受信端末６２のシステム制御部２１は、Ｓ４０９で認証情報が一致したことの通知を受信すると、図６の（Ａ）の画面内容が表示されている状態から、図６（Ｄ）の表示内容に切り替えて、転送先フォルダの候補６０６、６０７、６０８、６０９を表示する。
【００６８】
図６（Ｄ）では、転送される画像データの表示用イメージがないため、システム制御部２１は点線の矩形領域で転送予定の画像データを表示する。図６（Ｄ）の表示内容に切り替えることによって、操作者に対して、送信端末６１から受信端末６２に選択した画像データの転送が可能であることを識別可能に表示できる。
【００６９】
Ｓ４１０で送信端末６１から受信する画像データの表示用イメージを受信すると、Ｓ４１１でシステム制御部２１は、図６（Ｅ）に示したように、操作者の指６１２の位置に連動して受信する画像データの表示用イメージ６１１を表示する。また、システム制御部２１は、操作者の指６１２の位置に表示されているフォルダ６０７を転送予定のフォルダとして選択する。
【００７０】
次に、Ｓ４１２でシステム制御部２１は、操作者が「離すジェスチャ」のジェスチャ動作をしたか否かを判断する。「離すジェスチャ」のジェスチャ動作をしたと判断した場合、Ｓ４１３に進み、していないと判断した場合、Ｓ４１２の判断のステップに戻る。
【００７１】
Ｓ４１３でシステム制御部２１は、図６（Ｅ）に示したように、操作者の指６１２の位置に表示されているフォルダ６０７を転送先のフォルダと決定して、Ｓ４１４で画像データの転送要求を送信端末６１に送信する転送要求送信処理を行う。
Ｓ４１５で画像データを受信する画像データ受信処理を行う。また、これと同時に、画像データの受信中であることをダイアログボックスなどを使って表示する。画像データの受信を完了すると、Ｓ４１６で転送先のフォルダ６０７に受信した画像データを保存する。
次に、Ｓ４１７でシステム制御部２１は無線通信部６を停止して終了する。
【００７２】
以上説明したように、本実施形態の送信端末は、操作者が「離すジェスチャ」から「つまむジェスチャ」に連続してジェスチャ動作することで、送信指示が入力されると略同時に、操作子画像から認証情報を取得して一定期間有効な送信準備状態に移行する。
【００７３】
操作者が「つまむジェスチャ」のジェスチャ動作のまま受信端末の画面上に操作子を移動することによって、受信端末は、受信指示が入力されるのと略同時に操作子画面から認証情報を取得するよう動作する。これによって、あらかじめ、画像データの送信を許可する機器のＩＤを登録するといった作業が不要で、送信指示および受信指示と連動した簡単な操作で端末間の認証をとることができる。これにより、わかりやすい操作方法を実現することができる。
【００７４】
さらに、送信指示および受信指示と連動して無線通信部６の起動を行うため、無線通信部６を常時稼働させる必要がなく、消費電力を軽減できる。無線通信部６の他に有線による通信部を設けてもよい。
また、操作者の送信指示入力から一定期間有効な送信準備状態の最中だけ、受信端末からの転送要求を待てばよいため、処理の負荷を軽減できる。また、不特定期間の転送要求を想定しなくてよいため、セキュリティ上の安全性が高い。
【００７５】
また、あらかじめ、画像データの送信を許可する機器のＩＤを登録するといった場合、送信を許可する機器の分だけ、ＩＤを登録する記憶領域を定常的に必要とする。それに対して、本実施形態によれば、画像データの転送をするときに、送信端末と受信端末でそれぞれ認証情報を取得するため、一時的な記憶領域で実現できる。
【００７６】
また、送信端末で認証情報を取得するときと、受信端末で認証情報を取得するときに、操作入力用撮像部５で操作子画像データを撮像するときの明るさや光源といった撮影条件が同一になるので、認証精度が高い。
【００７７】
以上説明した実施形態は、デジタルカメラとデジタルカメラとの間の画像データの転送の例を説明した。しかし、本発明はこれに限定されることがなく、デジタルビデオカメラ、携帯型情報端末（ＰＤＡ）、携帯電話、携帯型オーディオプレーヤー、プリンタ等の電子機器間の画像データの転送にも適用できる。
また、以上説明した実施形態は、画像データの転送を対象としたが、動画ファイルや音声ファイル、ドキュメントファイルなどでもよい。
【００７８】
（第２の実施形態）
第２の実施形態では、認証情報として操作者の顔画像データを使用する構成について述べる。
この場合、送信端末と受信端末は、それぞれ操作入力用撮像部５とは別に、操作者の顔画像を撮像し、顔画像データを取得するための撮像部を表示部２の周囲に持つようにする。それ以外の構成は図２と同様である。
【００７９】
送信端末で、顔画像データを取得するタイミングは、図３のフローチャートのＳ３０５の認証情報取得処理の段階になる。それ以外の動作の流れは図３のフローチャートと同様である。
受信端末で、顔画像データを取得するタイミングは、図４のフローチャートのＳ４０５の認証情報取得処理の段階になる。それ以外の動作の流れは図４のフローチャートと同様である。
【００８０】
送信端末のシステム制御部２１は、Ｓ３０５で取得した送信端末の操作者の認証情報である顔画像データと、受信端末からの認証情報である顔画像データの特徴量を比較するなどしてマッチングを行う。そして、認証情報が一致したと判断した場合、送信端末のシステム制御部２１は、認証情報が一致したことを受信端末に送信する。
なお、認証情報は、顔画像データから得られる情報と、操作子画像データを分析して得られる情報を併用してもよい。
【００８１】
（第３の実施形態）
第３の実施形態では、タッチパネル２３を使って操作者のジェスチャを識別する構成について述べる。
この場合、Ｓ３０２とＳ３０３で、操作入力用撮像部５で撮像された操作子画像データを使って操作者のジェスチャを識別する代わりの処理を行う。例えば、操作者が送信端末のタッチパネル２３を指で触れると（タッチダウン操作）、システム制御部２１は、表示画面上でタッチダウンした位置に表示されている画像データを送信対象として選択する。
【００８２】
また、Ｓ４０３で、操作入力用撮像部５で撮像された操作子画像データを使って操作者のジェスチャを識別する代わりの処理を行う。例えば、操作者が受信端末のタッチパネル２３を指で触れると（タッチダウン操作）、システム制御部２１は、表示画面上でタッチダウンした位置に表示されているフォルダが転送先のフォルダと判断する。
【００８３】
それ以外の送信端末の動作の流れは、図３のフローチャートと同様であり、受信端末の動作の流れは、図４のフローチャートと同様である。認証情報は第１の実施形態で説明したように、操作子画像データを分析して得られる情報を使用してもよいし、第２の実施形態で説明したように顔画像データから得られる情報を使用してもよい。
【００８４】
（その他の実施形態）
また、本発明は、以下の処理を実行することによっても実現される。即ち、前述した実施形態の機能を実現するソフトウェア（コンピュータプログラム）を、ネットワークまたは各種のコンピュータ読み取り可能な記憶媒体を介してシステム或いは装置に供給する。そして、そのシステム或いは装置のコンピュータ（またはＣＰＵやＭＰＵ等）がプログラムを読み出して実行する処理である。
【符号の説明】
【００８５】
１  デジタルカメラ
２  表示部
３  シャッターボタン
４  電源スイッチ
５  操作入力用撮像部
６  無線通信部
７  記録媒体
８  バリア
９  レンズ
１０  シャッター
１１  撮像部
１２  Ａ／Ｄ変換部
１３  画像処理部
１４  表示画像生成部
１５  メモリ制御部
１７  ジェスチャ認識部
１８  Ｄ／Ａ変換部
１９  メモリ
２０  Ｉ／Ｆ
２１  システム制御部
２２  タッチパネル制御部
２３  タッチパネル
２４  電源制御部
２５  電源部
２６  不揮発性メモリ
２７  システムメモリ
【図１】
2015121988.tif 000003
【図２】
2015121988.tif 000004
【図３】
2015121988.tif 000005
【図４】
2015121988.tif 000006
【図５】
2015121988.tif 000007
【図６】
2015121988.tif 000008
【図７】
2015121988.tif 000009